(57)【要約】保持部材の配置変更が容易な栽培装置を提供する。保持部材に保持された植物を複数栽培するための栽培装置であって、載置された複数の保持部材を搬送する第１の搬送路を有し、各保持部材に保持された植物が普通栽培される普通栽培部と、載置された複数の保持部材を搬送する第２の搬送路を有し、各保持部材に保持された植物の栽培環境が調整される環境調整部と、普通栽培部と環境調整部との間で各保持部材を移動させる移動手段と、を備える、栽培装置。
2012005121.tif 000002
【特許請求の範囲】
【請求項１】
保持部材に保持された植物を複数栽培するための栽培装置であって、
載置された複数の保持部材を搬送する第１の搬送路を有し、各保持部材に保持された植物が普通栽培される普通栽培部と、
載置された複数の保持部材を搬送する第２の搬送路を有し、各保持部材に保持された植物の栽培環境が調整される環境調整部と、
前記普通栽培部と前記環境調整部との間で各保持部材を移動させる移動手段と、
を備える、栽培装置。
【請求項２】
前記第１及び第２の搬送路は、載置された各保持部材を一方端と他方端との間で搬送するよう構成され、
前記移動手段は、前記第１の搬送路の一方端と第２の搬送路の一方端との間で移動する移動部を有し、
前記移動部は、各保持部材を前記第１及び第２の搬送路から搬入且つ前記第１及び第２の搬送路へと搬出可能である、請求項１に記載の栽培装置。
【請求項３】
前記環境調整部は、前記第２の搬送路に載置された各保持部材を収納する収納室をさらに有する、請求項１又は２に記載の栽培装置。
【請求項４】
各保持部材に保持された植物を浸漬するための液体を貯留する貯留槽、又は各保持部材に保持された植物に液体を噴射する噴射機をさらに備え、
前記移動手段は、前記普通栽培部、前記環境調整部、及び前記貯留槽又は前記噴射機の間で各保持部材を移動させる、請求項１〜３のいずれかに記載の栽培装置。
【請求項５】
前記貯留槽又は前記噴射機は、前記環境調整部に設けられている、請求項４に記載の栽培装置。
【請求項６】
前記移動手段は、各保持部材を水平軸周りに回転させる回転機構を有する、請求項１〜５のいずれかに記載の栽培装置。
【請求項７】
前記第１又は第２の搬送路は、軸周りに回転可能なよう支持された複数の円筒コロ、及び前記円筒コロを回転駆動する駆動源で構成されている、請求項１〜６のいずれかに記載の栽培装置。
【請求項８】
前記環境調整部は、前記普通栽培部の下方に設けられている、請求項１〜７のいずれかに記載の栽培装置。
【発明の詳細な説明】
【技術分野】
【０００１】
本発明は、保持部材に保持された植物を栽培するための栽培装置に関する。
【背景技術】
【０００２】
植物の生長を促進するための栽培装置としては種々のものが知られているが、例えば、特許文献１には、栽培パネル等の保持部材に保持された植物を収納室内に収納して栽培環境の調整を行う装置が提案されている。この装置は、各一対の駆動プーリー及び従動プーリーに２本のワイヤロープを掛け回した搬送機構が収納室の上方に設けられており、この２本のワイヤロープに互いに連結された複数の保持部材が固定されている。この状態で、駆動プーリー及び従動プーリーを回転させてワイヤロープを移動させると、保持部材がワイヤロープとともに移動して収納室に搬入される。そして、この収納室を暗室にしたり、収納室内に低温風を送ったりすることで、植物に対する日照時間や温度の調整が行われる。
【先行技術文献】
【特許文献】
【０００３】
【特許文献１】特開２００９−１４２１８６号公報
【発明の概要】
【発明が解決しようとする課題】
【０００４】
ところで、上述したような栽培装置において、例えば、充分に生長した植物を収穫するために一部の保持部材をワイヤロープから取り外した場合、取り外した保持部材の数だけ新たな保持部材を補充することができるが、栽培管理上、元々の保持部材同士及び補充した保持部材同士が隣接するよう、保持部材を再配置することが好ましい。また、例えば、隣接する保持部材における植物の生長が進んだ場合、植物同士が互いに影を作り有効な受光面積が小さくなるのを防止するため、これらの保持部材を離して配置し直すことが好ましいこともある。しかしながら、上述したような栽培装置では、各保持部材がワイヤロープにしっかりと固定されているため、保持部材の配置を変更することが困難であるという問題があった。【０００５】
そこで、本発明は、保持部材の配置変更が容易な栽培装置を提供することを課題とする。
【課題を解決するための手段】
【０００６】
本発明に係る栽培装置は、上記課題を解決するためになされたものであり、保持部材に保持された植物を複数栽培するための栽培装置であって、載置された複数の保持部材を搬送する第１の搬送路を有し、各保持部材に保持された植物が普通栽培される普通栽培部と、載置された複数の保持部材を搬送する第２の搬送路を有し、各保持部材に保持された植物の栽培環境が調整される環境調整部と、前記普通栽培部と前記環境調整部との間で各保持部材を移動させる移動手段と、を備えている。【０００７】
上記栽培装置は、各保持部材を第１及び第２の搬送路に載置した状態で搬送することができるため、各保持部材を第１及び第２の搬送路に固定する必要がなく、第１及び第２の搬送路における各保持部材の配置を容易に変更することができる。また、各保持部材が第１及び第２の搬送路に固定されていないため、一部の保持部材のみを容易に取り出すことができる。なお、本発明における「普通栽培」とは、自然又は自然に近い気象条件で栽培することをいい、「栽培環境」とは、例えば、日照時間や、温度、湿度、培養液の組成及び濃度、又は植物に付着する害虫等、植物の生長に影響を与える種々の環境のことをいう。【０００８】
また、上記栽培装置は、第１及び第２の搬送路が、載置された各保持部材を一方端と他方端との間で搬送し、移動手段が、第１の搬送路の一方端と第２の搬送路の一方端との間で移動する移動部を有しており、この移動部が、各保持部材を第１及び第２の搬送路から搬入且つ第１及び第２の搬送路へと搬出可能なよう構成されることもできる。【０００９】
また、上記栽培装置の環境調整部は、第２の搬送路に載置された各保持部材を収納する収納室をさらに有することができる。この構成によれば、暴風雨等の災害の際、植物を収納室内に収納することができ、植物を災害から保護することができる。なお、この収納室内でも植物を栽培できるよう、収納室内にＬＥＤ等の人工ランプを設置してもよい。【００１０】
また、上記栽培装置は、各保持部材に保持された植物を浸漬するための液体が貯留される貯留槽、又は各保持部材に保持された植物に液体を噴射する噴射機をさらに備えていてもよい。この場合、移動手段は、普通栽培部、環境調整部、及び貯留槽又は噴射機の間で各保持部材を移動させることができるよう構成される。これにより、普通栽培部と環境調整部との間で各保持部材を移動させる際、各保持部材における植物を液体に浸漬又は保持部材における植物に対して液体を噴射することができ、植物に付着した害虫を駆除したり、また、例えば、放射性物質や、酸性雨に含まれる硫黄酸化物といった有害物質が植物に付着している場合はこの有害物質を除去したりすることができる。なお、上記貯留槽又は噴射機は環境調整部に設けられていてもよい。【００１１】
また、上記栽培装置において、移動手段は、各保持部材を水平軸周りに回転させる回転機構を有することができる。この構成によれば、各保持部材に保持された植物を反転させて転流を促すことができ、貯留槽又は噴射機が設けられている場合には、植物を反転させた状態で液体への浸漬又は液体の噴射をすることができる。また、各保持部材に保持された植物を貯留槽内の液体に浸漬する場合、保持部材の傾きを調整して液体の抵抗を和らげることができ、保持部材における植物が損傷するのを防止することができる。【００１２】
また、上記栽培装置においては、軸周りに回転可能なよう支持された複数の円筒コロ、及び前記円筒コロを回転駆動する駆動源で第１又は第２の搬送路を構成することができる。【００１３】
また、上記栽培装置において、環境調整部を普通栽培部の下方に設けることもできる。この構成によれば、栽培装置の敷地面積を小さくすることができる。
【発明の効果】
【００１４】
本発明によれば、保持部材の配置を容易に変更することができる。
【図面の簡単な説明】
【００１５】
【図１】本発明の一実施形態に係る栽培装置の正面断面図である。
【図２】図１のＡ−Ａ断面図である。
【図３】図２の部分拡大図である。
【図４】図２のＢ−Ｂ断面図である。
【図５】本発明の一実施形態に係る栽培装置における回転機構の底面図である。
【図６】本発明の一実施形態に係る保持部材の正面断面図である。
【図７】上記実施形態の変形例に係る栽培装置の側面部分断面図である。
【図８】上記実施形態の変形例に係る保持部材の正面断面図である。
【図９】上記実施形態の変形例に係る保持部材の正面断面図である。
【発明を実施するための形態】
【００１６】
以下、本発明に係る栽培装置の実施形態について図面を参照しつつ説明する。
【００１７】
本実施形態に係る栽培装置１は、図１に示すように、第１の枠体１１を備えており、この第１の枠体１１内に、保持部材８に保持された植物の普通栽培を行うための普通栽培部２と、植物の栽培環境の調整を行うための第１及び第２の環境調整部３、４とが設置されている。また、栽培装置１は、普通栽培部２と第１及び第２の環境調整部３、４との間で保持部材８を移動させる移動手段５、及び液体が貯留された貯留槽６も備えている。なお、本実施形態では、説明の便宜上、図１における左側を前、右側を後、奥側を右、及び手前側を左と称することとする。
【００１８】
普通栽培部２は、図１に示すように、第１の枠体１１の上部に設置されており、複数の保持部材８を載置した状態で搬送するための第１の搬送路２１を備えている。第１の搬送路２１は、図２及び図３に示すように、複数の第１の円筒コロ２１１、及びこの第１の円筒コロ２１１を回転可能に支持する一対の支持部材２１２を有している。第１の円筒コロ２１１の両端部には、第１のスプロケット２１３及び第２のスプロケット２１４が取り付けられている。そして、第１のスプロケット２１３には第１の無端チェーン２１５が掛け回され、第２のスプロケット２１４には第２の無端チェーン２１６が掛け回されており、前端の第１の円筒コロ２１１における第１のスプロケット２１３には前方（矢印Ｙ１）回転及び後方（矢印Ｙ２）回転が可能な第１のモータ（駆動源）２１７の出力軸が取り付けられている。このように構成された第１の搬送路２１において、第１のモータ２１７をＹ１方向に回転させると、第１及び第２のスプロケット２１３、２１４、並びに第１の円筒コロ２１１がＹ１方向に回転し、第１の円筒コロ２１１上に載置された保持部材８が前方に移動する。一方、第１のモータ２１７をＹ２方向に回転させると、第１及び第２のスプロケット２１３、２１４、並びに第１の円筒コロ２１１がＹ２方向に回転し、第１の円筒コロ２１１上に載置された保持部材８が後方に移動する。なお、第２のスプロケット２１４及び第２の無端チェーン２１６は省略することもできる。
【００１９】
第１の環境調整部３は、図１に示すように、普通栽培部２の下方に設けられており、第１の収納室３２と、第１の収納室３２内に設置された第２の搬送路３１とを備えている。第１の収納室３２は、普通栽培部２の第１の搬送路２１と略同一の長さに形成されており、前面には第１のシャッター巻き取り機３４により開閉可能な第１のシャッター３３が設置されている。また、第１の収納室３２は、前面以外の外側面が断熱材で覆われ、外側上面にはヒートポンプ型冷暖房機３５が取り付けられており、このヒートポンプ型冷暖房機３５から第１の収納室３２内に冷風又は温風が送られることで第１の収納室３２内の温度が調整される。第２の搬送路３１は、保持部材８を載置して搬送するためのものであり、図１に示すように、回転可能に支持された複数の第２の円筒コロ３１１によって構成されている。第２の搬送路３１の構成については、上述した第１の搬送路２１の構成と同様であるので詳細な説明を省略する。
【００２０】
第２の環境調整部４は、図１に示すように、第１の環境調整部３の下方に設けられており、第２の収納室４２と、第２の収納室４２内に設置された第３の搬送路４１とを備えている。第２の収納室４２は、第１の環境調整部３の第１の収納室３２と略同一の長さに形成され、天井面には保持部材８上の植物Ｐに液体を供給するための液体供給管４５が設けられている。なお、液体供給管４５から供給される液体としては、後述の貯留槽６に貯留される液体と同じのものを用いることができる。また、第２の収納室４２は、前面以外の外側面が遮光材で覆われており、前面には第２のシャッター巻き取り機４４により開閉可能な遮光性の第２のシャッター４３が設けられている。第３の搬送路４１は、保持部材８を載置して搬送するためのものであり、図１に示すように、回転可能に支持された複数の第３の円筒コロ４１１によって構成されている。第３の搬送路４１の構成についても、上述した第１の搬送路２１の構成と同様であるので詳細な説明を省略する。
【００２１】
移動手段５は、図１に示すように、第１の枠体１１の前方に設けられており、保持部材８が収容される昇降ケージ（移動部）５２を普通栽培部２と第１及び第２の環境調整部３、４との間で昇降させるよう構成されている。より詳細には、移動手段５は、第２の枠体５１を備えており、この第２の枠体５１の上端から、チェーン巻き取り機５７による巻き取り及び送り出しが可能なチェーン５３によって昇降ケージ５２が吊り下げられている。そして、図４及び図５に示すように、この昇降ケージ５２の左右側面に、ガイド孔５４１を有する８つのガイド部材５４が取り付けられる一方で、第２の枠体５１には、上下方向に延びる４本のガイドロッド５５がブラケット５６を介して取り付けられ、このガイドロッド５５がガイド部材５４のガイド孔５４１に摺動可能に挿入されている。このような構成により、チェーン巻き取り機５７でチェーン５３の巻き取りを行うと昇降ケージ５２がガイドロッド５５に沿って上昇し、チェーン巻き取り機５７でチェーン５３の送り出しを行うと昇降ケージ５２がガイドロッド５５に沿って降下する。この昇降ケージ５２は、保持部材８を搬入することができるよう後面が開放されており、後述の回転機構７によって保持部材８を回転させることができるよう下面も開放されている。なお、移動手段５を設ける位置については適宜変更可能であり、例えば、移動手段５を第１の枠体１１の中央部に設けてもよい。
【００２２】
回転機構７は、昇降ケージ５２内で保持部材８を水平軸周りに回転させるためのものであり、図４及び図５に示すように、保持部材８を搬入可能なよう後面が開放された回転ケージ７１、及びこの回転ケージ７１の下面に固定具７３を介して固定された回転軸７２を有している。この回転軸７２は、昇降ケージ５２の内側面に設けられた軸受７４に両端部が回転可能に支持されており、中央部には大歯車７５が取り付けられている。回転ケージ７１の下面には、この大歯車７５と噛み合う小歯車７６が設けられ、この小歯車７６は前方（矢印Ｙ１）回転及び後方（矢印Ｙ２）回転が可能な第２のモータ７７の出力軸に接続されている。このような構成により、第２のモータ７７をＹ２方向に回転させると、小歯車７６がＹ２方向に回転し、この小歯車７６に噛み合う大歯車７５がＹ１方向に回転しながら小歯車７６の回転を減速して回転軸７２に伝達し、回転軸７２及び回転ケージ７１がＹ１方向にゆっくりと回転する。一方、第２のモータ７７をＹ１方向に回転させると、小歯車７６がＹ１方向に回転し、大歯車７５、回転軸７２及び回転ケージ７１がＹ２方向に回転する。なお、回転機構７は、回転ケージ７１の回転角度を制御できるよう構成されることが好ましく、回転ケージ７１が所定角度回転したときに第２のモータ７７を停止させるリミットスイッチ（図示省略）が設けられてもよい。
【００２３】
回転ケージ７１は、図５に示すように、Ｙ１及びＹ２方向に回転した際に昇降ケージ５２と接触しないよう、昇降ケージ５２の前面から所定のスペースを空けて配置されている。また、図２に示すように、回転ケージ７１は、普通栽培部２又は第１及び第２の環境調整部３、４から保持部材８がスムーズに搬入されるよう、第１の搬送路２１と同様、モータ（図示省略）により回転駆動される第４の円筒コロ７１１が内側底面に設けられており、上部には搬入された保持部材８を落下させないよう３本の押さえ部材７１２が設けられている。
【００２４】
貯留槽６は、図１に示すように、第２の枠体５１の下端部に設けられており、内部には液体が貯留されている。この液体としては、水の他、例えば、窒素、リン酸、又はカリ等の化学肥料や、堆肥抽出液又は動植物の発酵液等の有機肥料を適当な溶媒に溶解させた培養液を使用することができ、天然の植物生長促進剤又は天然の害虫忌避剤を添加することもできる。また、貯留槽６内の液体は、例えばオゾン水等、植物Ｐの殺菌が可能な液体であってもよい。なお、貯留槽６に代えて植物Ｐに液体を噴射する噴射機を設けることもできる。
【００２５】
植物Ｐを保持するための保持部材８は、図６に示すように、中空の直方体状であり、上下に分割されている。保持部材８の上面には複数の貫通孔８１が設けられており、この貫通孔８１によって、葉茎部が保持部材８の上面に露出するとともに根部が保持部材８の内部に収納されるよう植物Ｐが保持される。保持部材８は、内部に培養液を注入するための注入管８２、及び内部から培養液を排出するための排出管８３を有しており、この注入管８２を介して培養液タンク（図示省略）から内部に培養液が注入され、排出管８３を介して内部から排出された培養液が排出樋（図示省略）を経て培養液タンク（図示省略）に戻されるよう構成されている。保持部材８内に注入される培養液としては、上述した貯留槽６に貯留される培養液と同じものを用いることができる。なお、保持部材８の内部には必要に応じてシート状の保水材（図示省略）を収納しておくことができ、この保水材としては、特に限定されるものではないが、例えば、発泡スチロールチップや、発砲ポリウレタンチップ、スポンジチップ、糸玉、紙片、又は繊維マット等が挙げられる。
【００２６】
保持部材８の形状は、特に限定されるものではないが、例えば、縦３００〜５０００ｍｍ×横１００〜１０００ｍｍ×高さ１０〜１００ｍｍの直方体状とすることができ、側壁の厚さを１０〜１５０ｍｍとすることができる。また、貫通孔８１の大きさとしては、例えば、直径１０〜２００ｍｍとすることができ、各貫通孔８１間の間隔は、例えば、５０〜６００ｍｍとすることができる。保持部材８の材質としては、断熱性を有するものが好ましいが特に限定されるものではなく、例えば、ポリスチレン樹脂、ポリウレタン樹脂、又はポリエチレン樹脂等の合成樹脂発泡体や、合成樹脂発泡体と、合成樹脂板、木板、又はステンレス等の金属板との複合材等を用いることができ、合成樹脂発泡体で保持部材８を形成した場合は、保持部材８の表面にポリウレタン樹脂塗料（登録商標リボールマイティ）等の防水塗料を塗布することが好ましい。
【００２７】
次に、上述したように構成された栽培装置１の使用方法について説明する。
【００２８】
まず、植物Ｐを保持した複数の保持部材８を普通栽培部２の第１の搬送路２１上に載置し、太陽光の下で普通栽培を行う。そして、この普通栽培を行っている植物Ｐについて、日照時間や温度といった栽培環境の調整が必要になった場合に、第１のモータ２１７及び第１の円筒コロ２１１をＹ１方向に回転させて第１の搬送路２１上の各保持部材８を前方へと移動させ、先頭の保持部材８を昇降ケージ５２内の回転ケージ７１に搬入する（図１及び図２）。
【００２９】
次に、第２のモータ７７をＹ２方向に回転させ、小歯車７６及び大歯車７５を介して、回転軸７２及び回転ケージ７１をＹ１方向に１８０度回転させる（図４）。これにより、回転ケージ７１及び回転ケージ７１内の保持部材８は上下が反転し、保持部材８に保持された植物Ｐは葉茎部が下を向いた逆姿勢となる。この状態のまま、チェーン巻き取り機５７によりチェーン５３を送り出して昇降ケージ５２を降下させ、植物Ｐの葉茎部が貯留槽６内の液体に浸漬された時点で、チェーン５３の送り出しを停止し、昇降ケージ５２を停止させる（図１）。これにより、植物Ｐの葉茎部に付着していたアブラムシ、アオムシ、ヨトウムシ、コナガムシ等の害虫が、植物Ｐの葉茎部から離脱して貯留槽６内の液体に浮遊又は沈下する。昇降ケージ５２の停止時間は、特に限定されるものではないが、通常１〜１０分間、好ましくは２０〜１２０分間である。なお、貯留槽６内の液体に植物Ｐを浸漬することにより、例えば、放射性物質や、酸性雨に含まれる硫黄酸化物といった有害物質が植物Ｐに付着している場合は植物Ｐが洗浄されて有害物質を除去することができ、貯留槽６内の液体が培養液である場合は葉面施肥も行うことができる。また、貯留槽６内の液体が、オゾン水等である場合は、植物Pの殺菌を行うことができ、植物Pに付着したバクテリアやカビ等を除去することができる。
【００３０】
次に、第２のモータ７７をＹ１方向に回転させ、小歯車７６及び大歯車７５を介して、回転軸７２及び回転ケージ７１をＹ２方向に１８０度回転させる（図４）。これにより、回転ケージ７１及び回転ケージ７１内の保持部材８は元の状態に戻り、保持部材８に保持された植物Ｐは葉茎部が上を向いた正姿勢となる。そして、チェーン巻き取り機５７でチェーン５３を巻き取ることで、第２の環境調整部４の第２の収納室４２と同じ高さまで昇降ケージ５２を上昇させる。その後、第２のシャッター巻き取り機４４により第２のシャッター４３を巻き取ることで第２の収納室４２の前面を開放し、第４の円筒コロ７１１を回転駆動させることで昇降ケージ５２内の保持部材８を第２の収納室４２内に搬入する。第２の収納室４２内に搬入された保持部材８は、第３の搬送路４１によって第２の収納室４２の後方へと搬送される。
【００３１】
同様に、普通栽培部２に残されている他の保持部材８についても、貯留槽６において植物Ｐの害虫駆除を行い、第２の収納室４２に搬入する。全ての保持部材８を第２の収納室４２に搬入したら第２のシャッター巻き取り機４４により第２のシャッター４３を送り出して第２の収納室４２の前面を封鎖し、通常１〜２４時間、好ましくは２〜８時間、この状態を維持する。これにより、第２の収納室４２内の植物Ｐに対する日照時間が短縮され、この植物Ｐの生長が促進される。このとき、第２の収納室４２内の植物Ｐには液体供給管４５より水又は培養液が散布又は供給される。その後、第２のシャッター４３を開け、移動手段５を用いて第２の収納室４２内の各保持部材８を普通栽培部２の元の位置へと移動させる。
【００３２】
なお、植物Ｐを貯留槽６内の液体に浸漬して害虫駆除を行った後、第２の環境調整部４における第２の収納室４２ではなく、第１の環境調整部３における第１の収納室３２に各保持部材８を搬入してもよい。この場合、ヒートポンプ型冷暖房機３５により第１の収納室３２内に温風又は冷風を送ることで、第１の収納室３２内の温度を調整することが好ましい。また、貯留槽６を経由せず、普通栽培部２から直接第１又は第２の環境調整部３、４に保持部材８を移動させることもできる。
【００３３】
以上のように、本実施形態に係る栽培装置１は、普通栽培部２において、保持部材８を第１〜第３の搬送路２１、３１、４１に載置した状態で搬送することができ、保持部材８を第１〜第３の搬送路２１、３１、４１に固定する必要がないため、保持部材８の配置を容易に変更することができる。また、第１〜第３の搬送路２１、３１、４１上に載置可能である限り、保持部材８の寸法を自由に決定することができ、例えば、保持部材８の幅を第１〜第３の搬送路２１、３１、４１の幅よりも小さくすることができる。
【００３４】
以上、本発明の実施形態について説明したが、本発明はこれらに限定されるものではなく、本発明の趣旨を逸脱しない限りにおいて種々の変更が可能である。例えば、上記実施形態の栽培装置１においては、第１及び第２の環境調整部３、４が設けられていたが、環境調整部を１つ、又は３つ以上設けることもできる。また、上記実施形態においては、第１及び第２の環境調整部３、４は普通栽培部２の下方に設けられていたが、普通栽培部及び環境調整部の配置については特に限定されず、例えば、環境調整部を普通栽培部と同一平面上に並べることもできる。
【００３５】
また、上記実施形態においては、第１の環境調整部３における第１の収納室３２は断熱材で覆われており、第２の環境調整部４における第２の収納室４２は遮光材で覆われていたが、収納室は種々の構成をとることができ、例えば、植物を災害から確実に保護するために発泡スチロールや、断熱性コンクリートパネル等の強固な材質で収納室を形成したり、植物を日射から保護するために網や寒冷紗等で収納室を覆ったりこともできる。また、第１の収納室３２及び第２の収納室４２の少なくとも一方においてLED等の人工ランプをその内部に設置し、第１の収納室３２及び第２の収納室４２内でも植物を栽培することができるよう構成されていてもよい。なお、第１及び第２の環境調整部３、４においては、例えば、日照時間や、温度、湿度、培養液の組成及び濃度、又は植物に付着する害虫等、植物Ｐの生長に影響を与える何らかの栽培環境を調整することができればよく、第１又は第２の収納室３２、４２を省略することもできる。
【００３６】
また、上記実施形態においては、保持部材８は、第２の収納室４２に収納された際、上下反転していなかったが、図７に示すように、保持部材８を反転させた状態で第２の収納室４２に収納することによって保持部材８における植物Ｐの転流を促すこともできる。この場合、第２の搬送路４０１は、第２の収納室４２の左右側面に設けられた支持部材４０１２、及び支持部材４０１２に回転可能に支持された複数の円盤コロ４０１１により構成される。この円盤コロ４０１１及び支持部材４０１２上に反転させた保持部材８の左右端部を載置し、円盤コロ４０１１をモータ（図示省略）で回転させることにより、保持部材８が第２の収納室４２内において反転状態で搬送される。なお、第２の環境調整部４に第２の収納室４２が設けられていない場合は、支持部材４０１２及び複数の円盤コロ４０１１を第１の枠体１１に直接取り付ければよい。
【００３７】
また、上記実施形態においては、第１〜第３の搬送路２１、３１、４１は保持部材８を幅方向に亘って支持する円筒コロで構成されていたが、保持部材を載置した状態で搬送することができればこれに限定されるものではなく、例えば、各搬送路を小さな円筒コロで構成し、この小さな円筒コロが各保持部材の両側面及び下面に複数配置されるようにしてもよい。さらに、各搬送路は円筒コロ以外で構成されていてもよく、例えば、各搬送路をベルトコンベヤ等で構成することもできる。
【００３８】
また、上記実施形態においては、貯留槽６は移動手段５の第２の枠体５１内に設けられていたが、貯留槽の位置については適宜変更することができ、例えば、貯留槽６を第２の枠体５１の外や、第１又は第２の環境調整部３、４に設けることもできる。
【００３９】
また、上記実施形態においては、貯留槽６が１つだけ設けられていたが、貯留槽を複数設けることもでき、特に限定されるものではないが、ある貯留槽には、例えばオゾン水等、植物の殺菌のための液体を貯留し、別の貯留槽には、害虫駆除、有害物質除去、又は葉面施肥のための適当な液体を貯留することができる。なお、複数の貯留槽のうち少なくとも１つを噴射機に変更してもよく、噴射機から噴射させる液体も、上述した培養液やオゾン水等、必要に応じて変更することができる。
【００４０】
また、上記実施形態においては、回転機構７により保持部材８を上下反転させ、植物Ｐの葉茎部のみを貯留槽６内の液体に浸漬していたが、保持部材８を反転させずに植物Ｐを貯留槽６内の液体に浸漬してもよく、この場合は回転機構７を省略することができる。
【００４１】
また、移動手段５の第２の枠体５１内において、昇降ケージ５２と普通栽培部及び環境部との間に回転機構７を有さない昇降ゲージを設けてもよく、また、回転機構７を有さない昇降ゲージを栽培装置の後端にさらに設けることもできる。
【００４２】
また、上記実施形態においては、直方体状の保持部材８を使用していたが、例えば、図８に示すような板状の保持部材８０を使用することもできる。この保持部材８０は、複数の貫通孔８０１が設けられており、この貫通孔８０１によって、葉茎部が上面側に突出するとともに根部が下面側に突出するよう植物Ｐを保持する。なお、保持部材８０の下面には、植物Ｐの根部を保護することができるよう、合成樹脂板、軽金属板等からなる多孔性の保護カバー８０２が取り付けられていることが好ましい。このような保持部材８０を使用する場合、普通栽培部２においては、第１の搬送路を兼ねた栽培槽が設けられ、保持部材８０はこの栽培槽内に貯留された培養液に浮かべられて搬送される。また、図９に示すように、上面に貫通孔８００１が形成され、内部に一般土壌、又は各種繊維や不織布マット等の人工培土が充填された保持部材８００を使用することもできる。
【符号の説明】
【００４３】
１                   栽培装置
２                   普通栽培部
２１                 第１の搬送路
２１１               第１の円筒コロ
２１７               第１のモータ（駆動源）
３、４               第１及び第２の環境調整部
３１、４１１         第２及び第３の搬送路
３１１、４１１              第２及び第３の円筒コロ
３２、４２           第１及び第２の収納室
５                   移動手段
５２                 昇降ケージ（移動部）
６                   貯留槽
７                   回転機構
８、８０、８００            保持部材
【図１】
2012005121.tif 000003
【図２】
2012005121.tif 000004
【図３】
2012005121.tif 000005
【図４】
2012005121.tif 000006
【図５】
2012005121.tif 000007
【図６】
2012005121.tif 000008
【図７】
2012005121.tif 000009
【図８】
2012005121.tif 000010
【図９】
2012005121.tif 000011
【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
保持部材に保持された植物を複数栽培するための栽培装置であって、
載置された複数の保持部材を搬送する第１の搬送路を有し、各保持部材に保持された植物が普通栽培される普通栽培部と、
載置された複数の保持部材を搬送する第２の搬送路を有し、各保持部材に保持された植物の栽培環境が調整される環境調整部と、
前記普通栽培部と前記環境調整部との間で各保持部材を移動させる移動手段と、
を備える、栽培装置。
【請求項２】
前記第１及び第２の搬送路は、載置された各保持部材を一方端と他方端との間で搬送するよう構成され、
前記移動手段は、前記第１の搬送路の一方端と第２の搬送路の一方端との間で移動する移動部を有し、
前記移動部は、各保持部材を前記第１及び第２の搬送路から搬入且つ前記第１及び第２の搬送路へと搬出可能である、請求項１に記載の栽培装置。
【請求項３】
前記環境調整部は、前記第２の搬送路に載置された各保持部材を収納する収納室をさらに有する、請求項１又は２に記載の栽培装置。
【請求項４】
各保持部材に保持された植物を浸漬するための液体を貯留する貯留槽、又は各保持部材に保持された植物に液体を噴射する噴射機をさらに備え、
前記移動手段は、前記普通栽培部、前記環境調整部、及び前記貯留槽又は前記噴射機の間で各保持部材を移動させる、請求項１〜３のいずれかに記載の栽培装置。
【請求項５】
前記貯留槽が貯留する液体や、前記噴射機が噴射する液体は、植物に付着した放射性物質や、酸性雨等に含まれる有害物質を除去可能な液体である請求項４に記載の栽培装置。
【請求項６】
前記貯留槽が貯留する液体や、前記噴射機が噴射する液体は、葉面施肥を行うことが可能な培養液である請求項４に記載の栽培装置。
【請求項７】
前記貯留槽が貯留する液体や前記噴射機が噴射する液体は、植物に付着したバクテリアやカビ等を除去するオゾン水である請求項４に記載の栽培装置。
【請求項８】
前記貯留槽又は前記噴射機は、前記環境調整部に設けられている、請求項４〜７のいずれかに記載の栽培装置。
【請求項９】
前記移動手段は、各保持部材を水平軸周りに回転させる回転機構を有する、請求項１〜８のいずれかに記載の栽培装置。
【請求項１０】
前記第１又は第２の搬送路は、軸周りに回転可能なよう支持された複数の円筒コロ、及び前記円筒コロを回転駆動する駆動源で構成されている、請求項１〜９のいずれかに記載の栽培装置。
【請求項１１】
前記第１又は第２の搬送路では、前記保持部材は、栽培槽内に貯留された液体に浮かべられて搬送されることを特徴とする請求項１〜９のいずれかに記載の栽培装置。
【請求項１２】
前記環境調整部は、前記普通栽培部の下方に設けられている、請求項１〜１１のいずれかに記載の栽培装置。
【請求項１３】
前記環境調整部は、前記第２の搬送路に載置された各保持部材を収納する収納室を有し、
前記収納室には、ＬＥＤ等の人工ランプが設置される、請求項１〜１２のいずれかに記載の栽培装置。
【国際調査報告】
2012005121.tif 000012
2012005121.tif 000013
2012005121.tif 000014
2012005121.tif 000015